(57)【特許請求の範囲】
【請求項１】
既設の構造体に取着され、配線・配管材などを支持する配線・配管材支持具であって、 前記支持具は、一本の棒材の屈曲により形成され、配線・配管材を支持し受ける支持受部と該支持受部に配線・配管材を配設するための開口を形成する開口部とで構成された本体部と、
前記支持受部に配設された配線・配管材が前記開口から抜け出すのを防止すべく、前記本体部の側方から嵌着可能な嵌着部を有した支持具取着体とを備え、
前記支持具取着体が前記開口部間に架け渡され、その嵌着部が該開口部に嵌着されるべく、前記双方の開口部が前記棒材の両端自由端で形成されたことを特徴とする配線・配管材支持具。
【請求項２】
既設の構造体に取着され、配線・配管材などを支持する配線・配管材支持具であって、 前記支持具は、一本の棒材の屈曲により形成され、配線・配管材を支持し受ける支持受部と該支持受部に配線・配管材を配設するための開口を形成する開口部とで構成された本体部と、
前記支持受部に配設された配線・配管材が前記開口から抜け出すのを防止すべく、中空筒状の支持具取着体とを備え、
前記支持具取着体が前記開口部間に架け渡され、その中空筒状の支持具取着体内に該開口部が収容されるべく、前記双方の開口部が前記棒材の両端自由端で形成されたことを特徴とする配線・配管材支持具。
【請求項３】
前記支持具取着体は、前記支持受部にも取着されることを特徴とする請求項１または２記載の配線・配管材支持具。
【請求項４】
前記支持具取着体が前記棒材にその側方から嵌着可能な嵌着部を有した嵌着型となっていることを特徴とする請求項１または３記載の配線・配管材支持具。
【請求項５】
前記開口部の双方が棒材の自由端であって、前記支持具取着体が前記自由端から前記棒材に取着可能な中空筒型となっていることを特徴とする請求項２または３記載の配線・配管材支持具。
【請求項６】
前記嵌着部は、前記支持具取着体の長手方向に沿って複数形成されていることを特徴とする請求項１または４記載の配線・配管材支持具。
【請求項７】
前記嵌着部は、前記支持具取着体の長手方向に沿って連続形成されていることを特徴とする請求項１または４記載の配線・配管材支持具。
【請求項８】
前記嵌着部は、前記支持受部の内側から外側へ向けて該支持受部に嵌着されていることを特徴とする請求項４、６、７のいずれか記載の配線・配管材支持具。
【請求項９】
前記支持具取着体において、前記嵌着部の反対側に平板状の載置部が形成されていることを特徴とする請求項４、６、７、８のいずれか記載の配線・配管材支持具。
【請求項１０】
前記開口部は、相互に向き合うように形成されていることを特徴とする請求項１から９のいずれか記載の配線・配管材支持具。
【請求項１１】
既設の構造体であるボルト体の軸側方から取着可能で、塑性変形によりその取着状態を維持するナット体を備え、前記本体部が、該ナット体の塑性変形しない位置に固着されていることを特徴とする請求項１から１０のいずれか記載の配線・配管材支持具。
【請求項１２】
前記本体部がインサート用の雄ねじ部を備え、これにより既設の構造体のインサートねじ部に取着されるものであることを特徴とする請求項１から１１のいずれか記載の配線・配管材支持具。
【請求項１３】
既設の構造体に取着され、配線・配管材などを支持する配線・配管材支持具であって、 前記支持具は、棒材の屈曲により形成され、配線・配管材を支持し受ける支持受部と該支持受部に配線・配管材を配設するための開口を形成する開口部とで構成された本体部と、
前記屈曲形成後の支持受部及び開口部に取着可能な支持具取着体とを備え、
前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止し、前記支持具取着体が前記棒材にその側方から嵌着可能な嵌着部を有した嵌着型となっていることを特徴とする配線・配管材支持具。
【請求項１４】
既設の構造体に取着され、配線・配管材などを支持する配線・配管材支持具であって、 前記支持具は、棒材の屈曲により形成され、配線・配管材を支持し受ける支持受部と該支持受部に配線・配管材を配設するための開口を形成する開口部とで構成された本体部と、
前記屈曲形成後の支持受部及び開口部に取着可能な支持具取着体とを備え、
前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止し、既設の構造体であるボルト体の軸側方から取着可能で、塑性変形によりその取着状態を維持するナット体を備え、前記本体部が、該ナット体の塑性変形しない位置に固着されていることを特徴とする配線・配管材支持具。
【発明の詳細な説明】
【技術分野】
【０００１】
本発明は、既設の構造体に取着され、長尺材である配線・配管材などを支持する配線・配管材支持具、この配線・配管材支持具に取着されて用いられる支持具取着体に関する。
【背景技術】
【０００２】
図９（ａ）は従来の配線・配管材支持具の一例を示す正面図、（ｂ）は（ａ）の支持具の使用説明図、（ｃ）は従来の配線・配管材支持具の他例の使用説明図である。
【０００３】
図９（ａ）、（ｂ）の配線・配管材支持具２０は、天井などに設けられたインサートネジ部Ｓに捩じ込んで配線・配管材Ｐを吊り下げ支持するのに用いられるもので、本体部１４と、この棒材で構成された本体部１４に取着される中空筒状の支持具取着体１５とを備えている。
【０００４】
本体部１４は、一本の棒鋼材で屈曲形成され、配線・配管材を支持し受ける支持受部１２と、インサートネジ部Ｓにネジ込まれるインサート用の雄ねじ部１４ａとを備えている。
【０００５】
支持受部１２は、真っ直ぐな雄ねじ部１４ａに連続する円弧状部分として形成され、この支持受部１２で支持する配線・配管材Ｐの荷重の重心が雄ねじ部１４ａの軸線上にあるように構成されている。
【０００６】
支持受部１２の自由端と、雄ねじ部１４ａから支持受部１２へと移行する部分とは開口部１３となって、配線・配管材Ｐを支持受部１２へ配設するための開口１３ａを形成している。
【０００７】
支持具取着体１５は、図９（ａ）に示すように、使用前の状態では、その中空筒状の内部に、本体部１４の一方の開口部１３から他方の開口部１３までを収容し、さらに、適度な長さ伸び出して、本体部１４に取着されている。
【０００８】
また、支持具取着体１５は柔軟性のある合成樹脂で製され、本体部１４への図９（ａ）のような状態とする取着ができ、また、取着後にその伸び出し端を引っ張ることで、本体部１４から取り外すことができるものである。
【０００９】
このような構成の配線・配管材支持具２０を使用する際には、図９（ｂ）に示すように、天井など既設の構造体に設けられたインサートねじ部Ｓにそのインサート用の雄ねじ部１４ａを捩じ込み、支持具取着体１５の伸び出し端を引っ張って、より長く本体部１４の自由端開口部１３から伸び出せておく。
【００１０】
ついで、その開口１３ａから配管・配線材Ｐを配設して、その後に、図９（ｂ）に示すように、支持具取着体１５の伸び出し部分を開口部１３の他方側に括り付けるようにすると、支持具取着体１５は、本体部１４の開口１３ａを閉止して、配管・配線材Ｐの抜け出しを簡易に防止することができる。
【００１１】
また、この際、支持具取着体１５は、本体部１４の支持受部１２を収容した状態であって、ここで支持し受ける配管・配線材Ｐと支持受部１２との間に介在して、緩衝保護の役割も果たしている。
【００１２】
しかしながら、この配線・配管材支持具２０では、支持具取着体１５の伸び出し部分を開口部１３の他方側に括り付けるという現場作業が必要で、この作業をより簡易なものとすることが望まれていた。
【００１３】
図９（ｃ）に示す配線・配管材支持具３０は、特許文献１に記載されたものであり、天井など既設の構造体の表面に強力な接着剤で固定取着される取着部２１、この取着部２１に付設され、同じ構造体の表面に両面テープで仮止め取着される仮取着部２３を備えている。
【００１４】
取着部２１には、配線・配管材Ｐを支持し受ける支持受部２７が設置されている。この支持受部２７には、配線・配管材Ｐを配設するための開口を一定の付勢力で閉止している抜け出し防止爪２８が設けられている。
【００１５】
この配線・配管材支持具３０を使用する場合には、取着部２１に強力な接着剤を塗布後、仮取着部２３に延設された把持部２６で支持具３０を保持する。すると、この保持作用で、仮取着部２３が取着部２１対しで、取付表面から遠ざかるように折れ曲がった状態となる。
【００１６】
この状態で、取着部２１の位置決めをして取付表面に圧接し、続いて、仮取着部２３の折れ曲がり状態を元に戻して、取付部２１と同じように取付表面に圧接するようにする。すると、配線・配管材支持具３０は、仮取着部２３の両面テープなどの仮止め作用で一時的に位置決め取着される。
【００１７】
したがって、取着部２１での強力な接着剤による本格取着固定が完了するまで、手放しの状態とすることができ、支持具３０の取着固定が容易となる。
【００１８】
本格取着固定が完了した後は、抜け出し防止爪２８をその付勢力に抗して開いて配線・配管材Ｐを支持受部２７に配設すれば、抜け出し防止爪２８はその付勢力によりその開口を閉止し、配線・配管材Ｐの抜け出しを防止することができる。
【００１９】
しかしながら、この配線・配管材支持具３０は、抜け出し防止爪２８の付勢係止のための構造が複雑であり、合成樹脂の一体成形で製造するのでなければ、コスト高となる点が問題であり、支持具をより安価に棒鋼材の屈曲で構成したいような場合には不向きであった。
【特許文献１】特開平１０−１４８２７６号公報（図１）
【発明の開示】
【発明が解決しようとする課題】
【００２０】
本発明は、上記の問題を解決しようとするものであり、棒鋼材の屈曲で構成されながら、簡単な構造で、より簡易に配線・配管材の抜け出しのためのセットができる配線・配管材支持具、支持具取着体を提供することを目的とする。
【課題を解決するための手段】
【００２１】
請求項１記載の配線・配管材支持具は、既設の構造体に取着され、配線・配管材などを支持する配線・配管材支持具であって、 前記支持具は、一本の棒材の屈曲により形成され、配線・配管材を支持し受ける支持受部と該支持受部に配線・配管材を配設するための開口を形成する開口部とで構成された本体部と、
前記支持受部に配設された配線・配管材が前記開口から抜け出すのを防止すべく、前記本体部の側方から嵌着可能な嵌着部を有した支持具取着体とを備え、
前記支持具取着体が前記開口部間に架け渡され、その嵌着部が該開口部に嵌着されるべく、前記双方の開口部が前記棒材の両端自由端で形成されたことを特徴とする。
【００２２】
請求項２記載の配線・配管材支持具は、既設の構造体に取着され、配線・配管材などを支持する配線・配管材支持具であって、 前記支持具は、一本の棒材の屈曲により形成され、配線・配管材を支持し受ける支持受部と該支持受部に配線・配管材を配設するための開口を形成する開口部とで構成された本体部と、
前記支持受部に配設された配線・配管材が前記開口から抜け出すのを防止すべく、中空筒状の支持具取着体とを備え、
前記支持具取着体が前記開口部間に架け渡され、その中空筒状の支持具取着体内に該開口部が収容されるべく、前記双方の開口部が前記棒材の両端自由端で形成されたことを特徴とする。
【００２３】
請求項３記載の配線・配管材支持具は、請求項１または２に従属し、前記支持具取着体は、前記支持受部にも取着されることを特徴とする。
【００２４】
請求項４記載の配線・配管材支持具は、請求項１または３に従属し、前記支持具取着体が前記棒材にその側方から嵌着可能な嵌着部を有した嵌着型となっていることを特徴とする。
【００２５】
請求項５記載の配線・配管材支持具は、請求項２または３に従属し、前記開口部の双方が棒材の自由端であって、前記支持具取着体が前記自由端から前記棒材に取着可能な中空筒型となっていることを特徴とする。
【００２６】
請求項６記載の配線・配管材支持具は、請求項１または４に従属し、前記嵌着部は、前記支持具取着体の長手方向に沿って複数形成されていることを特徴とする。
【００２７】
請求項７記載の配線・配管材支持具は、請求項１または４に従属し、前記嵌着部は、前記支持具取着体の長手方向に沿って連続形成されていることを特徴とする。
【００２８】
請求項８記載の配線・配管材支持具は、請求項４、６、７のいずれかに従属し、前記嵌着部は、前記支持受部の内側から外側へ向けて該支持受部に嵌着されていることを特徴とする。
【００２９】
請求項９記載の配線・配管材支持具は、請求項４、６、７、８のいずれかに従属し、前記支持具取着体において、前記嵌着部の反対側に平板状の載置部が形成されていることを特徴とする。
【００３０】
請求項１０記載の配線・配管材支持具は、請求項１から９のいずれかに従属し、前記開口部は、相互に向き合うように形成されていることを特徴とする。
【００３１】
請求項１１記載の配線・配管材支持具は、請求項１から１０のいずれかに従属し、既設の構造体であるボルト体の軸側方から取着可能で、塑性変形によりその取着状態を維持するナット体を備え、前記本体部が、該ナット体の塑性変形しない位置に固着されていることを特徴とする。
【００３２】
請求項１２記載の配線・配管材支持具は、請求項１から１１のいずれかに従属し、前記本体部がインサート用の雄ねじ部を備え、これにより既設の構造体のインサートねじ部に取着されるものであることを特徴とする。
【００３３】
請求項１３記載の配線・配管材支持具は、 既設の構造体に取着され、配線・配管材などを支持する配線・配管材支持具であって、 前記支持具は、棒材の屈曲により形成され、配線・配管材を支持し受ける支持受部と該支持受部に配線・配管材を配設するための開口を形成する開口部とで構成された本体部と、
前記屈曲形成後の支持受部及び開口部に取着可能な支持具取着体とを備え、
前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止し、前記支持具取着体が前記棒材にその側方から嵌着可能な嵌着部を有した嵌着型となっていることを特徴とする。
【００３４】
請求項１４記載の配線・配管材支持具は、既設の構造体に取着され、配線・配管材などを支持する配線・配管材支持具であって、 前記支持具は、棒材の屈曲により形成され、配線・配管材を支持し受ける支持受部と該支持受部に配線・配管材を配設するための開口を形成する開口部とで構成された本体部と、
前記屈曲形成後の支持受部及び開口部に取着可能な支持具取着体とを備え、
前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止し、既設の構造体であるボルト体の軸側方から取着可能で、塑性変形によりその取着状態を維持するナット体を備え、前記本体部が、該ナット体の塑性変形しない位置に固着されていることを特徴とする。
【発明の効果】
【００３５】
請求項１または２記載の配線・配管材支持具によれば、支持受部と開口部とで構成された本体部と、前記支持受部及び開口部に取着可能な支持具取着体とを備え、前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止するので、棒鋼材の屈曲で構成されながら、簡単な構造で、より簡易に配線・配管材の抜け出しのためのセットができる。
【００３６】
請求項３記載の配線・配管材支持具によれば、請求項１または２の効果に加え、前記支持具取着体は、前記支持受部にも取着されるので、配管・配線材と支持受部１との間に介在して、緩衝保護の役割も果たす。
【００３７】
請求項４記載の配線・配管材支持具は、請求項１または３の効果に加え、棒材の側方から嵌着可能な嵌着部を有した嵌着型となっているので、開口の閉止が簡易となる。
【００３８】
請求項５記載の配線・配管材支持具によれば、請求項２または３の効果に加え、開口部の双方が棒材の自由端であって、前記支持具取着体が前記自由端から前記棒材に取着可能な中空筒型となっているので、開口の閉止が簡易となる。
【００３９】
請求項６記載の配線・配管材支持具によれば、請求項１または４の効果に加え、前記嵌着部は、前記支持具取着体の長手方向に沿って複数形成されているので、嵌合をよりしっかりしたものとしながら、同様の折り曲げしやすさを確保できる。
【００４０】
請求項７記載の配線・配管材支持具によれば、請求項１または４の効果に加え、前記嵌着部は、前記支持具取着体の長手方向に沿って連続形成されているので、取着体の製造が容易である。
【００４１】
請求項８記載の配線・配管材支持具によれば、請求項５、７、８のいずれかの効果に加え、前記嵌着部は、前記支持受部の内側から外側へ向けて該支持受部に嵌着されているので、開口を閉止するための嵌合がやりやすい。
【００４２】
請求項９記載の配線・配管材支持具によれば、請求項４、６、７、８のいずれかの効果に加え、前記支持具取着体において、前記嵌着部の反対側に平板状の載置部が形成されているので、配線・配管材をより良好に載置することができる。
【００４３】
請求項１０記載の配線・配管材支持具によれば、請求項１から９のいずれかの効果に加え、前記開口部は、相互に向き合うように形成されているので、開口の閉止がよりやりやすい。
【００４４】
請求項１１記載の配線・配管材支持具によれば、請求項１から１０のいずれかの効果に加え、既設の構造体であるボルト体の軸側方から取着可能で、塑性変形によりその取着状態を維持するナット体を備え、前記本体部が、該ナット体の塑性変形しない位置に固着されているので、配線・配管材支持具のボルト体への取着がより強固になる。請求項１２記載の配線・配管材支持具によれば、請求項１から１１のいずれかの効果に加え、前記本体部がインサート用の雄ねじ部を備え、これにより既設の構造体のインサートねじ部に取着されるので、配線・配管材支持具の取着がより強固になる。
【００４５】
請求項１３記載のの配線・配管材支持具によれば、支持受部と開口部とで構成された本体部と、前記支持受部及び開口部に取着可能な支持具取着体とを備え、前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止するので、棒鋼材の屈曲で構成されながら、簡単な構造で、より簡易に配線・配管材の抜け出しのためのセットができ、加えて、棒材の側方から嵌着可能な嵌着部を有した嵌着型となっているので、開口の閉止が簡易となる。
【００４６】
請求項１４記載の支持具取着体によれば、支持受部と開口部とで構成された本体部と、前記支持受部及び開口部に取着可能な支持具取着体とを備え、前記支持具取着体の一端が前記開口部の一方に取着された状態で、前記支持受部に前記開口を介して配線・配管材の配設が可能で、その配設後には前記支持具取着体の他端を前記開口部の他方に取着することで、前記開口を閉塞して配設された配線・配管材の抜け出しを防止するので、棒鋼材の屈曲で構成されながら、簡単な構造で、より簡易に配線・配管材の抜け出しのためのセットができ、既設の構造体であるボルト体の軸側方から取着可能で、塑性変形によりその取着状態を維持するナット体を備え、前記本体部が、該ナット体の塑性変形しない位置に固着されているので、配線・配管材支持具のボルト体への取着がより強固になる。
【発明を実施するための最良の形態】
【００４７】
以下に、本発明の実施の形態（実施例）について、図面を用いて説明する。
【実施例１】
【００４８】
図１は、本発明の配線・配管材支持具の一例を示すもので、（ａ）はその正面図、（ｂ）は（ａ）のＡＡ断面図、図２（ａ）は、図１の支持具を構成するナット体の正面図、（ｂ）はその前面図、（ｃ）、（ｄ）は（ａ）のナット体を専用の取着工具でボルト体に取着する方法の説明図、図３は、図１の支持具の使用方法の説明図である。
【００４９】
この配線・配管材支持具１０は、既設の構造体であるボルト体Ｂに取着され、長尺材である配線・配管材Ｐなどを支持するものであり、ナット体１、支持受部２と開口部３とで構成された本体部４、支持受部２及び開口部３に取着可能な支持具取着体５を備えている。
【００５０】
ナット体１は、後に図２を用いて詳しく説明するが、ボルト体Ｂの軸側方から取着可能で、塑性変形によりその取着状態を維持するものである。
【００５１】
本体部４は、棒材、より具体的には棒鋼材、の屈曲により形成され、配線・配管材Ｐを支持し受ける支持受部２とこの支持受部２に配線・配管材Ｐを配設するための開口３ａを形成する開口部３とで構成されている。
【００５２】
支持受部２は、ナット体１の塑性変形しない位置に固着され、取着状態でボルト体Ｂの軸方向に沿って伸びる沿伸部２ａ、この沿伸部２ａから連続し水平方向に伸び、配線・配管材Ｐを受ける受部２ｂ、この受部２ｂから連続し、上方に伸びる立上り部２ｃで構成されている。
【００５３】
沿伸部２ａの上方は、ボルト体Ｂに沿ってさらに上方に延び、部分的にボルト体Ｂに当接するように屈曲された係止当接部４ｃを経て、更に、棒鋼材の屈曲によりボルト体Ｂを水平に取り巻くように屈曲されたフック部４ｂを経て、受部２ｂと平行に水平に伸び出している。
【００５４】
開口部３は、このフック部４ｂから水平に伸び出した自由端である開口部３ｂと、支持受部２の立上り部２ｃの自由端である開口部３ｃとで構成され、双方の開口部３ｂ、開口部３ｃの間の空間が開口３ａとなっている。開口部３ｂと開口部３ｃとは相互に向き合うようになっている。
【００５５】
支持具取着体５は、柔軟で大きな可撓性のある、例えば合成樹脂で製造されたもので、
棒鋼材の屈曲で構成された本体部４の支持受部２及び開口部３に嵌合する嵌合部５ａと、この嵌合部５ａの反対側となる位置に設けられた平面部である載置部５ｂを備えている。      
【００５６】
換言すると、支持具取着体５は、合成樹脂製の断面矩形の棒材の一辺に本体部４の棒鋼材が填まり込むＵ字溝を形成したもので、このＵ字溝が嵌合部５ａ、その反対側の辺が載置部５ｂとなっている。
【００５７】
この嵌合部５ａを本体部４の支持受部２及び開口部３に嵌め込む際は、嵌合部５ａを支持受部２及び開口部３の棒鋼材に当てがい、人の手で押し込むだけで良く、反対に取り外す場合も、人の手で引っ張るだけで良いようになっている。
【００５８】
なお、この支持具取着体５は、棒材の側方から嵌着可能なものであり、嵌着型の支持具取着体５と称される。
【００５９】
図２を用いて、ナット体１とそのボルト体Ｂへの取着とについて説明する。
【００６０】
図２（ａ）、（ｂ）に示すようにナット体１は、内側にボルト体Ｂの外面螺子にネジ係合する係合突起１ｂを備えた本体部１ａと、本体部１ａの外側に形成され、本体部１ａをボルト体Ｂの外面螺子に沿って塑性変形させるべく、取着工具６に把持される一対の把持部１ｃとを備えており、全体として、Ｕ字サドル形状をしている。
【００６１】
ナット体１のＵ字サドルの開口側は、ボルト体Ｂを通過させ得るもので開口部１ｅと、把持部１ｃ先端の取着工具６に当接する側に設けられた溝は係止凹溝１ｍという。
【００６２】
このナット体１をボルト体Ｂに取着する際に用いる取着工具６は、図２（ｃ）、（ｄ）に示すように、通常、プライヤと称される工具と全体形状は同一であり、回転軸６ａを中心として開閉される一対の挟付部６ｂを備え、この挟付部６ｂがナット体１の把持部１ｃの先端を、その塑性変形の当初から最後まで確実に保持するように特化され、特にその挟付部６ｂの先端内側に一対の保持凹所６ｃを備えている点を特徴とする。
【００６３】
この取着工具６でナット体１をボルト体Ｂに取着する際には、まず、図２（ｃ）に示すように、ナット体１の開口部１ｅを通過させて、ボルト体Ｂの外面螺子がナット体１の係合突起１ｂにネジ係合するようにさせる。
【００６４】
そして、この状態のナット体１の一対の把持部１ｃが、ボルト体Ｂを中心にして、ナット体１に対向する側からの取着工具６の一対の保持凹所６ｃに填まり込むようにする。
【００６５】
この状態から取着工具６の挟付部６ｂが閉じられるように締め込んでいくと、保持凹所６ｃと係止凹溝１ｍを備えた把持部１ｃの先端との保持係合状態が維持されたままで、良好にナット体１が塑性変形し、図２（ｄ）の状態になり、ナット体１がボルト体Ｂに良好に取着される。
【００６６】
ナット体１は鋼鉄製であり、その塑性域で良好に塑性変形して、図１の状態となり、その変形後の状態を維持し、その取着状態は良好に維持される。
【００６７】
こうして、このようなナット体１と本体部４とを組み合わせた配線・配管材支持具１０によれば、本体部４（つまり支持具１０全体）は、ナット体１の塑性変形により、数条のネジ係合で強固確実にボルト体Ｂに取着されるので、良好な取着状態を維持する。
【００６８】
また、ナット体１と本体部４との固着は、通常、溶接で行われるが、その固着位置は、図２（ｃ）、（ｄ）に二点鎖線の想像線で示したような円弧部分、つまり、ナット体の塑性変形しない位置となっているので、塑性変形によりボルト体Ｂと本体部４の支持受部２との相対的な位置関係を変化させることなく支持具１０をボルト体Ｂに取着することができる。
【００６９】
更に、このような固着位置なので、ナット体１の把持部１ｃを挟み付け保持して、取着工具６でナット体１を塑性変形させ、取着する際の邪魔にならない。
【００７０】
フック部４ｂは、ボルト体Ｂを取り囲み、支持部２（特に、受部２ｂ）に作用する配線・配管材Ｐの荷重によって、そのフック部４ｂをボルト体Ｂに押し付ける力が発生する。また、ナット体１には、その本体部４の支持受部２（特に、沿伸部２ａ）との固着部を介して、ナット体１をボルト体Ｂに押し付ける力が発生する。
【００７１】
したがって、無荷重の場合にも、また、荷重が作用した場合にも、配線・配管材支持具１０とボルト体Ｂとの取着状態は良好に維持される。
【００７２】
特に、ナット体１と本体部４との固着位置は、ナット体１の塑性変形しない位置であって、ここに押圧力が作用するので、これは、ナット体１の塑性変形後の状態を元に戻す（把持部１ｃを開く）ようには全く作用せず、ナット体１の係合突起１ｂとボルト体Ｂの外面螺子とのネジ係合をより強固にして、塑性変形による取着状態をより強固に保持する側に作用する。
【００７３】
また、係止当接部４ｃは、フック部４ｂに対してボルト体Ｂの軸方向に離れた位置にあってフック部４ｂと協同してボルト体Ｂを挟むものであり、支持具１０を少し斜めにすれば、フック部４ｂをボルト体Ｂに係止する際に、係止当接部４ｃは邪魔にならない。
【００７４】
一方、フック部４ｂとボルト体Ｂとの係止が完了した後、配線・配管材支持具１０がボルト体Ｂの軸方向に沿うようになった場合には、フック部４ｂの開口側で、係止当接部４ｂがボルト体Ｂに当接して、フック部４ｂでボルト体Ｂとの間に多少の隙間があっても、使用姿勢における支持具１０とボルト体Ｂのフック部４ｂでの係合をよりガタの少ないものとすることができ、支持具１０とボルト体Ｂの正規の姿勢での係合状態を良好に保持する効果を発揮する。
【００７５】
続いて、図３によって、この配線・配管材支持具１０の使用方法を説明する。
【００７６】
配線・配管材支持具１０をボルト体Ｂに取着した後は、図３（ａ）に示すように、支持具取着体５の開口部３ｃから伸び出している部分を、開口３ａがより大きく確保されるようにまた配設の邪魔にならないように折り曲げ、配線・配管材Ｐを配設する。
【００７７】
配線・配管材Ｐの配設が終了した後には、支持具取着体５の折り曲げた部分を元に戻して、図３（ｂ）に示すように、その自由端の嵌合部５ａを開口３ａを形成する他の開口部３ｂに嵌め込むだけの簡易な作業で、開口３ａが閉止され、配線・配管材Ｐの抜け出しを防止することができる。
【００７８】
つまり、この配線・配管材支持具１０によれば、棒鋼材の屈曲で構成されながら、簡単な構造で、より簡易に配線・配管材Ｐの抜け出しのためのセットができる。
【００７９】
また、この配線・配管材支持具１０は一本の棒鋼材を屈曲させて構成されているが、部分的に溶接構造として、複数本の棒鋼材を組み合わせたものであってもよく、その場合にも同様の効果を発揮する。
【００８０】
棒鋼材の具体的な材料としては、一般には鉄鋼、防錆が特に重要な場合にはステンレス鋼、軽量用で美観が重視される場合には黄銅鋼などが用いられる。また、場合によっては、高強度の合成樹脂の棒材であってもよい。また、その断面形状は、ここに示した円形だけでなく、矩形や、多角形状であってもよい。
【００８１】
配線・配管材Ｐの抜け出しを防止する役割を果たす支持具取着体５は、図３に示すように、支持受部２にも連続して嵌合されており、ここでは、配管・配線材Ｐと支持受部１２との間に介在して、緩衝保護の役割も果たしている。
【００８２】
この際、支持具取着体５の平坦な載置部５ｂが配管・配線材Ｐを受ける部分となり、配管・配線材Ｐを良好に載置することができる。また、このように載置部５ｂが機能するためには、嵌着部５ａが支持受部２の内側から外側へ向けて支持受部２に嵌着されていることが必要である。
【００８３】
また、開口部３（３ｂ、３ｃ）は相互に向き合うように形成されているので、支持具取着体５を双方に架け渡して嵌め込むことがより簡易となっている。
【００８４】
更に、支持具取着体５自身は、このような配線・配管材支持具１０において用いられることで、支持具１０の上記効果を取着体５としても発揮することができる。
【００８５】
なお、この配線・配管材支持具１０では、支持具取着体５が予め支持受部１２側にセットされているものであるが、支持具取着体５を本体部４の開口部３ｂ側にセットしておいて、配線・配管材Ｐの配設後に、支持具取着体５の他端を他方の開口部３ｃに取着するようにしてもよい。
【実施例２】
【００８６】
図４は、本発明の配線・配管材支持具の他例を示すもので、（ａ）はその正面図、（ｂ）は（ａ）のＢＢ断面図、図５は、図４の支持具の使用方法の説明図である。これより、すでに説明した部分と同じ部分には同じ符号を付して重複説明を省略する。また、煩雑さを避けるために、全ての符号を繰り返して記載しない場合がある。
【００８７】
この配線・配管材支持具１０Ａは、図４に示すように、図１の配線・配管材支持具１０に比べて、支持具取着体５Ａが嵌着型ではあるが、その嵌着部５ｃが連続したものではなく、支持具取着体５Ａの長手方向に沿って不連続に複数形成されている点が異なっている。
【００８８】
また、支持具取着体５Ａの断面形状も、載置部５ｂに対して、嵌着部５ｃがより丸みを帯びた形状となっている点も異なっている。
【００８９】
このような支持具取着体５Ａを備えた配線・配管材支持具１０Ａによれば、図４、５からも解るように、図１の配線・配管材支持具１０と同様の効果を発揮する。
【００９０】
また、嵌着部５ｃが不連続に形成されているので、支持具取着体５Ａを構成する合成樹脂がより可撓性の低いものであっても、折り曲げしやすいものとすることができる。よって、嵌着部５ｃにおける本体部４の支持受部２及び開口部３との嵌合をよりしっかりしたものとしながら、同様の折り曲げしやすさを確保できるので、よりしっかり、嵌合を確保したい場合に向いている。
【００９１】
また、支持具取着体５Ａは、上記配線・配管材支持具１０Ａの効果を取着体５Ａとして発揮する。
【実施例３】
【００９２】
図６は、本発明の配線・配管材支持具の他例を示すもので、（ａ）はその正面図、（ｂ）は（ａ）のＣＣ断面図、（ｃ）、（ｄ）は本発明の配線・配管材支持具の他例の使用方法の説明図、図７は、図６（ａ）の支持具の使用方法の説明図である。
【００９３】
この配線・配管材支持具１０Ｂは、図１の配線・配管材支持具１０に比べ、図６（ａ）、（ｂ）に示すように、支持具取着体５Ｂが、嵌着型ではなく、その自由端から棒材に取着可能な中空筒型となっている点が異なっている。
【００９４】
このタイプの支持具取着体５Ｂは、図９（ａ）、（ｂ）の従来例の支持具取着体１５と同様のものであるが、開口３ａを閉止するのに、図７（ｂ）に示すように、支持具取着体１５の自由端を、同様に自由端である開口部３ｂに外から嵌めるだけでよく、結んだりする必要がないので、そのセットが簡易なものとなっている。
【００９５】
よって、この配線・配管材支持具１０Ｂによれば、図１の配線・配管材支持具１０と同様の効果を発揮する。
【００９６】
加えて、この中空筒型では、支持具取着体５Ｂとして、一般に入手可能な合成樹脂製のチューブを用いることができ、その製造コストを安価とすることができる。
【００９７】
また、支持具取着体５Ｂは、上記配線・配管材支持具１０Ｂの効果を取着体５Ｂとして発揮する。
【００９８】
図６（ｃ）、（ｄ）に示す支持具取着体５Ｃは、図６（ａ）、（ｂ）の支持具取着体５Ｂに比べ、断面形状としては同様の中空円筒状であるが、その円筒の一部に長手方向の全長に渡る（或いは、必要な部分にだけ）切れ目５ｄが入っているものである。
【００９９】
この支持具取着体５Ｃによれば、この切り目５ｄがある部分については、図６（ｃ）に示すように、支持具を構成する棒材の側方から嵌め込むことができ、嵌着型と同様な使い方ができる。
【０１００】
従って、次に図８で説明するような自由端でない開口部３ｄがある場合でも、嵌着型と同様に使用することができる。また、このような支持具取着体５Ｃを備えた配線・配管材支持具は、その取着体５Ｃの効果を支持具として発揮する。
【実施例４】
【０１０１】
図８は、本発明の配線・配管材支持具の他例を示すもので、（ａ）はその正面図、（ｂ）は（ａ）のＤＤ断面図である。
【０１０２】
この配線・配管材支持具１０Ｃは、図１の配線・配管材支持具１０に比べ、本体部４がナット体１を備えてボルト体Ｂに取着されるものではなく、本体部４Ａの上端がインサート用の雄ねじ部４ａとなっており、天井などに設けられたインサートねじ部Ｓにネジ込んで用いられるものである点で異なっている。
【０１０３】
換言すれば、本体部４Ａは、図９（ａ）、（ｂ）の支持具２０の本体部１４と同様の構成で、同様の方法で既設の構造体に取着される。
【０１０４】
また、開口部３Ａを構成する一方が、図示するように、自由端ではなく、棒鋼材の屈曲部の一部であって、取着体５の嵌着可能な開口部３ｄとなり、他方がこの開口部３ｄにより向き合うように屈曲された自由端の開口部３ｅとなっている点が異なっている。
【０１０５】
なお、本発明の配線・配管材支持具において、開口部が相互に向き合うとは、上記の例を含め、開口での配線・配管材の出し入れに支障がない程度に、双方の開口部に支持具取着体が滑らかに取着できるような構成とすることをいう。
【０１０６】
一方、支持具取着体５は、図１の配線・配管材支持具１０に備えられた支持具取着体５と同じ嵌着型である。
【０１０７】
この配線・配管材支持具１０Ｃによれば、図８（ａ）、（ｂ）からも解るように、配線・配管材Ｐの脱落防止については、図１の配線・配管材支持具１０と同様の効果を発揮する。また、支持具取着体５は、上記配線・配管材支持具１０Ｃの効果を取着体５として発揮する。
【０１０８】
一方、この配線・配管材支持具１０Ｃにおいては、自由端でない開口部３ｄには、図６（ａ）、（ｂ）の中空筒型の支持具取着体５Ｂは用いることができないが、図６（ｃ）、（ｄ）に示す切り目付きの中空筒型の支持具取着体５Ｃなら用いることができる。
【産業上の利用可能性】
【０１０９】
本発明の配線・配管材支持具は、棒鋼材の屈曲で構成されながら、簡単な構造で、より簡易に配線・配管材の抜け出しのためのセットができることが要請されるあらゆる産業上の分野に用いることができる。
【図面の簡単な説明】
【０１１０】
【図１】本発明の配線・配管材支持具の一例を示すもので、（ａ）はその正面図、（ｂ）は（ａ）のＡＡ断面図
【図２】（ａ）は、図１の支持具を構成するナット体の正面図、（ｂ）はその前面図、（ｃ）、（ｄ）は（ａ）のナット体を専用の取着工具でボルト体に取着する方法の説明図
【図３】図１の支持具の使用方法の説明図
【図４】本発明の配線・配管材支持具の他例を示すもので、（ａ）はその正面図、（ｂ）は（ａ）のＢＢ断面図
【図５】図４の支持具の使用方法の説明図
【図６】本発明の配線・配管材支持具の他例を示すもので、（ａ）はその正面図、（ｂ）は（ａ）のＣＣ断面図、（ｃ）、（ｄ）は本発明の配線・配管材支持具の他例の使用方法の説明図
【図７】図６（ａ）の支持具の使用方法の説明図
【図８】本発明の配線・配管材支持具の他例を示すもので、（ａ）はその正面図、（ｂ）は（ａ）のＤＤ断面図
【図９】（ａ）は従来の配線・配管材支持具の一例を示す正面図、（ｂ）は（ａ）の支持具の使用説明図、（ｃ）は従来の配線・配管材支持具の他例の使用説明図
【符号の説明】
【０１１１】
１      ナット体
２      支持受部
３      開口部
３ａ    開口
４      本体部
４ａ    インサート用の雄ねじ部
５、５Ａ、      支持具取着体（嵌着型）
５Ｂ、５Ｃ      支持具取着体（中空筒型）
５ａ    嵌着部
５ｂ    載置部
６      取着工具
１０〜０１Ｃ      配線・配管材支持具
Ｂ      ボルト体
Ｐ      配線・配管材
Ｓ      インサートねじ部
【図１】
0004669345.tif 000002
【図２】
0004669345.tif 000003
【図３】
0004669345.tif 000004
【図４】
0004669345.tif 000005
【図５】
0004669345.tif 000006
【図６】
0004669345.tif 000007
【図７】
0004669345.tif 000008
【図８】
0004669345.tif 000009
【図９】
0004669345.tif 000010